(57)【特許請求の範囲】
【請求項１】
案内部材（１１）に沿って直線的に移動可能な操作ウェイト（１２）、案内部材の一端側に固着された係止部（１３）、及び、案内部材の他端側に固着されて、操作ウェイトの移動を受け止めるフランジ部（２１）を備える引抜治具（１）と、
頭部（３１）、及び、ネジを設けた軸部（３２）を有する補助ネジ（３０）と、
を用いて、木造建築物の構造部材に装着され、軸方向に予備孔を有する連結ピン（ＰＮ）を事後的に引き抜く引抜方法であって、
木造建築物の構造部材に装着された連結ピンの前記予備孔に、ネジ切り工具を使用して、補助ネジのネジに対応するネジ溝を設ける第一工程と、
補助ネジの頭部（３１）と連結ピン（ＰＮ）との間に所定の隙間が形成される程度に、連結ピンのネジ溝に補助ネジをねじ込んで、補助ネジと連結ピンとを一体化させる第二工程と、
補助ネジの頭部（３１）と連結ピン（ＰＮ）との間に形成された隙間に、引抜治具の係止部（１３）を係止させる第三工程と、
係止部を係止させた状態で、操作ウェイト（１２）を引抜治具の基端側に打ち付ける第四工程と、をこの順番で実行することによって、
木造建築物の構造部材に装着された連結ピンを、事後的に直線的に引き抜くことを特徴とする連結ピンの引抜方法。
【請求項２】
係止部（１３）は、基端部から先端に向けて略Ｕ字状に延びる延設部（１７）を有して構成され、
延設部（１７）は、その底部に設けられた作業部（１８）と、作業部（１８）の両側から垂直に立上がる側壁部（１９）とに区分され、この側壁部１９によって、係止部１３の先端側には、略Ｕ字状の開口溝が形成され、
第三工程では、作業部（１８）が、補助ネジの頭部と連結ピンとの間に形成された隙間に挿入される請求項１に記載の引抜方法。
【請求項３】
連結ピン（ＰＮ）の一部には、他の部分より径方向に大きい大径部が設けられている請求項１又は２に記載の引抜方法。
【請求項４】
前記大径部は、加圧変形された隆起部である請求項３に記載の引抜方法。
【請求項５】
前記大径部は、軸方向の基端側が先端側より均一に大径となり、且つ、そこには網目状の凹凸が形成されている請求項１又は２に記載の引抜方法。
【発明の詳細な説明】
【技術分野】
【０００１】
本発明は、木造建築物などの構造部材の接合に使用された連結ピンを事後的に引き抜くことを可能にした引抜治具その他に関するものである。
【背景技術】
【０００２】
木造住宅などの木造建築物では、一般に、梁と柱、柱と土台などの接合には、接合金具が使用される。そして、接合金具を使用する場合には、接合金具を木材を確実に係合させるために連結ピンが好適に用いられている。
【０００３】
この連結ピンは、構造部材の内部にきつく叩き込まれるが、連結ピンの打ち込み箇所を間違えた場合だけでなく、例えば、建築物の増改築や取り壊しのために、隣接する構造部材の接合を解きたい場合には、連結ピンを木材から抜く必要がある。
【０００４】
ここで、連結ピンの進入方向に連結ピンを叩き出せる場合には何の問題も無いが、それが不可能であり、連結ピンを逆向きに引き抜くしかない場合がある。かかる場合、テコの原理を応用した連結ピンの引抜治具がまず考えられるが、これでは連結ピンを真っ直ぐに抜くことができず、しかも、木材にも多大な傷をつけてしまうという問題がある。
【０００５】
一方、特許文献１に記載の連結ピンの発明も提案されている。この発明では、連結ピン本体の頭部に平行な一対の扁平面を切り欠くと共に、上記頭部の平坦な頂面中央に外向き開口する回動操作工具用の係止凹溝を切り欠いた連結ピンに、回動操作工具を用いて、連結ピンを構造部材から抜き出している。
【特許文献１】特開２００１−４０７８０号公報
【発明の開示】
【発明が解決しようとする課題】
【０００６】
しかしながら、特許文献１の連結ピンは、その製造が容易でなく、しかも、使用時には、連結ピンを木材にねじ込む必要があり、その作業が煩雑である。そもそも、一つの建築物の完成には多数の連結ピンを使用するのであるから、そのコストは極力安価であるべきであり、また連結ピンの装着作業についても簡便なものが強く望まれる。また、引き抜き時にも、電動工具を要することなく、直線的に引き抜き可能な連結ピンが望まれる。
【０００７】
本発明は、上記の要請に基づいてなされたものであって、連結ピンを直線的に引き抜き可能な引抜方法を提供することを目的とする。間接的には、製作コストが安価で装着時の使用も容易であり、且つ事後的にも直線的に容易に引き抜き可能な連結ピンを提供することを目的とする。
【課題を解決するための手段】
【０００８】
上記の目的を達成するため、請求項１に係る発明は、案内部材（１１）に沿って直線的に移動可能な操作ウェイト（１２）、案内部材の一端側に固着された係止部（１３）、及び、案内部材の他端側に固着されて、操作ウェイトの移動を受け止めるフランジ部（２１）を備える引抜治具（１）と、頭部（３１）、及び、ネジを設けた軸部（３２）を有する補助ネジ（３０）と、を用いて、木造建築物の構造部材に装着され、軸方向に予備孔を有する連結ピン（ＰＮ）を事後的に引き抜く引抜方法であって、木造建築物の構造部材に装着された連結ピンの前記予備孔に、ネジ切り工具を使用して、補助ネジのネジに対応するネジ溝を設ける第一工程と、補助ネジの頭部（３１）と連結ピン（ＰＮ）との間に所定の隙間が形成される程度に、連結ピンのネジ溝に補助ネジをねじ込んで、補助ネジと連結ピンとを一体化させる第二工程と、補助ネジの頭部（３１）と連結ピン（ＰＮ）との間に形成された隙間に、引抜治具の係止部（１３）を係止させる第三工程と、係止部を係止させた状態で、操作ウェイト（１２）を引抜治具の基端側に打ち付ける第四工程と、をこの順番で実行することによって、木造建築物の構造部材に装着された連結ピンを、事後的に直線的に引き抜くことを特徴とする。
【００１２】
ここで、前記連結ピンの一部には、他の部分より径方向に大きい大径部が設けられているのが好ましい。また、前記大径部は、加圧変形された隆起部であるか、或いは、前記大径部は、軸方向の基端側が先端側より均一に大径となり、且つ、そこには網目状の凹凸が形成されているのが好ましい。
【発明の効果】
【００１３】
上記した各発明によれば、木造建築物の構造部材に装着された連結ピンを直線的に引き抜くことができる。
【発明を実施するための最良の形態】
【００１４】
本発明を実施形態に基づき以下に説明する。図１は、第１実施例に係る引抜治具１を示す図であり、図１（ａ）は、引抜治具１を図１（ｂ）のＢ−Ｂ線に沿って切断した中央断面図、図１（ｂ）は、図１（ａ）のＡ−Ａ方向に見た係止部１３の拡大正面図、図１（ｃ）は、係止部１３の一部を破断して図示した斜視図である。
【００１５】
図１（ａ）に示す通り、この引抜治具１は、円柱形状の案内棒１１と、案内棒１１に遊嵌される略円筒状の操作ウェイト１２と、案内棒１１の先端側に固着される係止部１３と、案内棒１１の基端側に固着される保持部１４とで構成されている。前記の各部材１１〜１４は、鋼鉄などの金属製であり、操作ウェイト１２を除いて、全体が強固に一体化されている。
【００１６】
案内棒１１は、典型的には鋼鉄製の丸棒が使用され、案内棒１１の本体部１１ａの両端には、やや小径の取付部１１ｂ，１１ｃが突出形成されている。
【００１７】
操作ウェイト１２は、全体として略円筒状に形成され、軸方向中央の把持部１２ａと、把持部１２ａの両端の大径フランジ１２ｂとに区分される。この操作ウェイト１２には、径方向中央部を軸方向に貫通して挿通孔１５が設けられ、挿通孔１５の内径は、案内棒１１の外径よりもやや大きく形成されている。また、把持部１２ａには、人間の指に対応した凹部が形成されて、全体として、軸方向に波形の外周輪部を有している。
【００１８】
図１（ｂ）（ｃ）に示すように、係止部１３は、略直方体状の基端部１６と、基端部１６から先端に向けて略Ｕ字状に延びる延設部１７とに区分される。そして、基端部１６には、案内棒１１の先端側取付部１１ｂが圧入される収容取付孔１６ａが貫通して形成されている。
【００１９】
一方、延設部１７は、その底部に設けられた作業部１８と、作業部１８の両側から垂直に立上がる側壁部１９とに区分され、この側壁部１９によって、係止部１３の先端側には、略Ｕ字状の開口溝が形成されている。
【００２０】
延設部１７の底部に設けられた作業部１８は、後述する引抜作業用の補助ネジ３０（図４参照）を引掛ける部分である。そのため、作業部１８は、補助ネジ３０の軸部３２を受け入れる導入部１８ａと、受け入れた補助ネジ３０の頭部３１を係止する作業本体部１８ｂとに区分されている（図１（ｃ））。図示の通り、導入部１８ａは、補助ネジ３０の軸部３２を受け入れやすいよう、先端に向けて広がっている。また、作業本体部１８ｂは、補助ネジ３０の軸部３２よりやや大径で、補助ネジ３０の頭部３１より確実に小径の円弧形状を有している。
【００２１】
作業部１８の肉厚Ｈは、これが厚いほど引抜強度に優れるが、余り厚いと作業性に劣るので、十分な強度を有する前提で必要最小限の厚さに設定されている。また、作業本体部１８ｂは、補助ネジ３０の頭部３１を受け入れるに必要な最小限の左右幅Ｗ及び前後幅に設定されている（図１（ｂ））。
【００２２】
この実施例では、一対の側壁部１９，１９が、作業部１８の両側で基端部１６と同一高さまで立設されている。そのため、後述する引抜作業を繰り返しても、作業部１８が十分な引抜強度を維持する。
【００２３】
図１（ａ）に示す通り、保持部１４は、丸棒状の円柱部２０と、略四角形の四隅がコーナー加工された矩形板状のフランジ部２１とで構成されている。円柱部２０の先端側には、やや小径の突出固定部２０ａが形成され、突出固定部２０ａには、案内棒１１の基端側取付部１１ｃと同径の円柱取付孔２２が形成されている。ここで、突出固定部２０ａの外径は、案内棒１１の本体部１１ａの外径よりも大径に形成されている。また、円柱取付孔２２の深さは、案内棒１１の基端側取付部１１ｃの軸方向長さよりやや深く形成されている。そのため、案内棒１１の基端側取付部１１ｃが円柱取付孔２２に圧入された状態では、案内棒の本体部１１ａの基端面と、突出固定部２０ａ先端面とが確実に当接することになる。
【００２４】
フランジ部２１の板厚は、円柱部２０の突出固定部２０ａの軸方向長さと同程度に形成されている。また、フランジ部２１の中心位置には、突出固定部２０ａの外径と同一寸法の内径を有する丸孔２１ａが形成されている。そして、円柱部２０の突出固定部２０ａが、フランジ部２１の丸孔２１ａに圧入されて溶接されることで、円柱部２０とフランジ部２１とが一体化されている。
【００２５】
以上説明した案内棒１１、操作ウェイト１２、係止部１３、及び保持部１４は、例えば、以下のようにして組み立てられる。まず、案内棒１１の先端側取付部１１ｂを係止部１３の収容取付孔１６ａに圧入した後、案内棒１１と係止部１３とを溶接により一体化する。次に、案内棒１１に操作ウェイト１２を挿通し、突出固定部２０ａに形成された円柱取付孔２２に、案内棒１１の基端側取付部１１ｃを圧入した後、突出固定部２０ａと案内棒１１とを溶接により一体化する。
【００２６】
以上のようにして組み立てられた引抜治具１では、操作ウェイト１２が案内棒１１に遊嵌されているので、操作ウェイト１２は、案内棒１１の軸方向に沿って移動自在である。また、案内棒１１の両端部に固着された係止部１３とフランジ部２１とが、操作ウェイト１２のストッパとして作用して、操作ウェイト１２が案内棒１１から抜脱されることがない。
【００２７】
図２は、上記実施例の引抜治具１によって、引き抜かれる連結ピンＰＮを示す図であり、（ａ）は連結ピンＰＮの正面図、（ｂ）は平面図、（ｃ）はＡ−Ａ断面図、（ｄ）はＢ−Ｂ断面図、（ｅ）は連結ピンＰＮの変形例を示す正面図である。
【００２８】
連結ピンＰＮは、略円柱状に形成されており、連結ピンＰＮの先端部は、切頭円錐状に形成されている。また、連結ピンＰＮの基端部には、径方向中心に予備孔ＨＯが特徴的に形成されている。予備孔ＨＯは、この実施例では単純な丸孔であるが、一旦木材に埋め込まれた連結ピンＰＮを何らかの理由で引く抜く場合には、この丸孔にネジ溝が事後的に形成される。そして、ネジ溝の切られた予備孔ＨＯに補助ネジ３０（図４）をねじ込むことで、補助ネジ３０と連結ピンＰＮとが一体化される。
【００２９】
また、連結ピンＰＮの外周には、基端側の対称位置に隆起部２３，２３が設けられている。この隆起部２３は、連結ピンＰＮを、径方向両側（図の上下方向）から加圧することで形成される。なお、隆起部２３，２３は、木材に埋め込まれた連結ピンＰＮの回動を防止する部分であるが、隆起部２３に代えて、或いは、隆起部２３に加えて、連結ピンＰＮの基端側をやや大径にすると共に、ローレット加工を施して微細な凹凸模様を形成しても良い。図２（ｅ）は、隆起部に代えてローレット加工を施した連結ピンＰＮ’であり、連結ピンＰＮ’の軸方向中央から基端部にかけて、軸方向中央から先端部の径よりもやや大径に形成すると共に、その外周に網目状の凹凸模様が形成されている。
【００３０】
図３は、柱２と梁３との接合構造を示す斜視図であり、図４は、梁３に挿入された連結ピンＰＮの引抜方法を示す斜視図である。
【００３１】
図３に示すとおり、柱２と梁３とを接合する部材として接合金具４が使用される。この接合金具４は、金属製板体を略コ字状に折り曲げて形成されたものであり、基端部が柱２とボルト・ナットにより接合され、先端部４ａ、４ａが梁３と連結ピンＰＮにより接合される。接合金具４の基端部には、ボルト穴（不図示）が形成されており、接合金具４の先端部の上部及び下部には切欠き２４が形成され、両先端部の中央には３つのピン孔２５が形成されている。
【００３２】
柱２には、接合金具４の基端部に対応した円柱溝２６が上下２つ形成されている。梁３の一端部には、上面から下面にかけて、接合金具４の先端部４ａ、４ａに対応した２本の切込み溝２７，２７が形成されている。梁３の側面には、接合金具４の切欠き２４に対応したピン孔２８、接合金具４のピン孔２５に対応したピン貫通穴２９，２９が切込み溝２７，２７を横切って形成されている。
【００３３】
柱２と梁３の接合は以下のようにして行われる。柱２の円柱溝２６に接合金具４の基端部を挿入して、接合金具４のボルト穴にボルト（不図示）を通し、柱２の反対側でナット（不図示）を締めることにより、柱２に接合金具４を固定する。次に、梁３のピン孔２８に、連結ピンＰＮをハンマー等で叩き込む。そして、梁３を接合金具４の上側から落とし込み、ピン孔２８に挿入された連結ピンＰＮが、接合金具の上部切欠き２４に引掛けられる。その後、梁３のピン貫通穴２９，２９を介して接合金具４のピン孔２５，２５に連結ピンＰＮを嵌挿して、接合金具４と梁３を固定することにより、柱２に梁３を接合する。
【００３４】
図４に示すとおり、作業完了状態では、梁３には連結ピンＰＮが３つ挿入されており、連結ピンＰＮの基端部が梁３の側面に表れている。このような完成状態において、その後、建物の建替えや改築などの要請から、柱２と梁３とを分離したい場合がある。かかる場合、連結ピンＰＮをその先端方向に叩き出すことができれば良いが、建物の構造上、連結ピンＰＮの先端方向に余分な空間がなく、叩き出し作業が不可能な場合もある。
【００３５】
このような場合、この連結ピンＰＮの梁３から引抜きは、以下のようにして行われる。まず、この連結ピンＰＮの予備孔ＨＯの内周に、ネジ切り工具によってネジ溝を形成する。この時、連結ピンＰＮの隆起部２３，２３は係止片として働き、ネジ切り作業において、連結ピンＰＮが回動することを防止する。
【００３６】
このようにしてネジ溝が形成されると、次にネジ溝を有する予備孔ＨＯに、補助ネジ３０をねじ込む。このねじ込み作業では、補助ネジ３０が完全にねじ込まれる手前で完了させる。すなわち、ねじ込み作業の完了状態では、連結ピンＰＮから補助ネジの頭部３１までの距離は、引抜治具１の作業部１８の板厚Ｈよりやや長く設定される。
【００３７】
次に、引抜治具１の導入部１８ａを、補助ネジ３０の軸部３２に誘導し、最終的に、補助ネジの頭部３１を作業本体部１８ｂに保持させる。作業者は、この状態で、操作ウェイト１２と保持部１４を把持して、操作ウェイト１２を勢いよく何回もフランジ部２１に打ち付ける。そうすると、操作ウェイト１２が打ち付けられた方向、即ち、梁３から離れる方向に力が作用して、連結ピンＰＮが補助ネジ３０と共に、回動動作を伴うことなく直線的に引き抜かれることとなる。
【００３８】
以上の実施形態に基づき本発明を説明したが、本発明は、その趣旨を変更しない限り上述の実施形態に限定されるものではない。
【００３９】
また、引抜治具１は、図５に示す第２実施例の引抜治具１であってもよい。図５は、第２実施例に係る引抜治具１を示す図であり、図５（ａ）は、引抜治具１を図１（ｂ）のＢ−Ｂ線に沿って切断した中央断面図、図５（ｂ）は、図１（ａ）のＡ−Ａ方向に見た係止部１３の拡大正面図、図５（ｃ）は、係止部１３の斜視図である。
【００４０】
この図５に示す引抜治具１の操作ウェイト１２の把持部１２ａは、人間の指に対応した凹部が形成されず、円筒状となっている。このように把持部１２ａを形成することにより、簡易に操作ウェイト１２を製造することができる。また、操作ウェイト１２を一旦把持し、フランジ部２１に向かって操作ウェイト１２を投げ付けて、連結ピンＰＮを補助ネジ３０と共に引き抜く場合に有効である。
【００４１】
また、引抜治具１の係止部１３は、略直方体状の基端部１６と、基端部１６から先端に向けて延びる延設部１７とに区分される。基端部１６には、案内棒１１の先端側取付部１１ｂが圧入される収容取付孔１６ａが、第１実施例の引抜治具１と同様に、貫通して形成されている。延設部１７の基端側は、略円弧状に形成され、先端側には、略Ｕ字状の開口溝が形成されている。また、延設部１７の肉厚Ｈは、基端部１６の厚さより薄く形成されている。延設部１７は、引抜作業用の補助ネジ３０（図４参照）を引掛ける部分として、補助ネジ３０の軸部３２を受け入れる導入部１８ａと、受け入れた補助ネジ３０の頭部３１を係止する作業本体部１８ｂとに区分されている（図５（ｂ）、（ｃ））。図示の通り、導入部１８ａは、補助ネジ３０の軸部３２を受け入れやすいよう、先端に向けて広がっている。また、作業本体部１８ｂは、補助ネジ３０の軸部３２よりやや大径で、補助ネジ３０の頭部３１より確実に小径の円弧形状を有している。
【００４２】
第２実施例の引抜治具１の係止部１３は、以上のように形成されているので、第１実施例のように側壁部１９を設ける必要がなく、より容易に係止部１３を製造することができる。
【図面の簡単な説明】
【００４３】
【図１】本発明の実施形態に係る引抜治具を示す図面である。
【図２】連結ピンＰＮを示す図面である。
【図３】柱と梁の接合構造を示す図面である。
【図４】連結ピンＰＮの引抜方法を示す図面である。
【図５】引抜治具の変形例を示す図面である。
【符号の説明】
【００４４】
１    引抜治具
１１  案内部材（案内棒）
１２  操作ウェイト
１３  係止部
２１  フランジ部
３０  補助具（補助ネジ）
ＰＮ  連結ピン
【図１】
0004562675.tif 000002
【図２】
0004562675.tif 000003
【図３】
0004562675.tif 000004
【図４】
0004562675.tif 000005
【図５】
0004562675.tif 000006